(57)【要約】シリンダーレンズアレイ及びそれを採用したプロジェクションシステムを提供する。  このシリンダーレンズアレイは、光源から出射された光の進路上に配され、中心軸が相異なって配列されたレンズセルの組合わせより構成され、このシリンダーレンズアレイを採用したプロジェクションシステムは、１対のシリンダーレンズアレイを用いて光の進行方向に対して対称的に発散する光の何れか一方向の発散角が減少するように整列させる。このようなシリンダーレンズアレイは、単板式のプロジェクションシステム、３板式のプロジェクションシステムの何れにも適用可能であり、特にスクローリング方式を採択したプロジェクションシステムに採用する場合に光整列効果を極大化させることによって、エタンデュを減少させると共に光効率を向上させうる。
2005531806.tif 000002
【特許請求の範囲】
【請求項１】
光源から出射された光の進路上に配され、中心軸が相異なって配列されたレンズセルの組合わせより構成されて、光の進行方向に対して対称的に発散する光を何れか一方向の発散角が減少するように整列することを特徴とするシリンダーレンズアレイ。
【請求項２】
前記レンズセルは、シリンダーレンズアレイの垂直中心軸と水平中心軸とを中心に遠く離れているほど、その中心軸がさらに多く傾いた状態に配列されることを特徴とする請求項１に記載のシリンダーレンズアレイ。
【請求項３】
前記レンズセルは、曲線形態に配列されたことを特徴とする請求項１に記載のシリンダーレンズアレイ。
【請求項４】
前記レンズセルは、その中心軸の傾度が連続して変わるように配列されたことを特徴とする請求項１に記載のシリンダーレンズアレイ。
【請求項５】
前記レンズセルが中心軸に沿って連結されて一体型に形成されたことを特徴とする請求項３または４に記載のシリンダーレンズアレイ。
【請求項６】
前記レンズセルは、垂直中心軸と水平中心軸とに対して対称的であり、原点に対して点対称的に配列されることを特徴とする請求項１ないし５のうち何れか一項に記載のシリンダーレンズアレイ。
【請求項７】
前記レンズセルは、その中心軸がシリンダーレンズアレイの垂直中心軸に対する入射ビームの角度と、入射ビームの位相を反転させようとする角度に対する半角との和ほど傾斜して配列されることを特徴とする請求項１ないし５のうち何れか一項に記載のシリンダーレンズアレイ。
【請求項８】
光源から照射された光をライト弁を用いて入力された画像信号によって処理することによって画像を形成し、この画像を投射レンズユニットによりスクリーン側に拡大投射させるプロジェクションシステムにおいて、
前記光源から出射された光の進路上に配され、中心軸が相異なって配列されたレンズセルの組合わせより構成されて光の進行方向に対して対称的に発散する光を何れか一方向の発散角が減少するように整列する１対のシリンダーレンズアレイを備えたことを特徴とするプロジェクションシステム。
【請求項９】
前記レンズセルは、シリンダーレンズアレイの垂直中心軸と水平中心軸とを中心に遠く離れているほど、その中心軸がさらに多く傾いた状態に配列されることを特徴とする請求項８に記載のプロジェクションシステム。
【請求項１０】
前記レンズセルは、曲線形態に配列されたことを特徴とする請求項８に記載のプロジェクションシステム。
【請求項１１】
前記レンズセルは、その中心軸の傾度が連続して変わるように配列されたことを特徴とする請求項８に記載のプロジェクションシステム。
【請求項１２】
前記レンズセルが中心軸に沿って連結されて一体型に形成されたことを特徴とする請求項１０または１１に記載のプロジェクションシステム。
【請求項１３】
前記レンズセルは、垂直中心軸と水平中心軸とに対して対称的であり、原点に対して点対称的に配列されることを特徴とする請求項８ないし１２のうち何れか一項に記載のプロジェクションシステム。
【請求項１４】
前記レンズセルは、その中心軸がシリンダーレンズアレイの垂直中心軸に対する入射ビームの角度と入射ビームの位相を反転させようとする角度に対する半角との和ほど傾斜して配列されることを特徴とする請求項８ないし１２のうち何れか一項に記載のプロジェクションシステム。
【請求項１５】
前記シリンダーレンズアレイは、
前記光源から照射された放射形の対称的な光分布が前記ライト弁の大きさに対応する分布で整列されるように構成されたことを特徴とする請求項８ないし１２のうち何れか一項に記載のプロジェクションシステム。
【請求項１６】
前記１対のシリンダーレンズアレイとライト弁との間の光路上に、入射光を波長別に分離させる光分離器を持って入射光をスクローリングさせるスクローリングユニットを備えたことを特徴とする請求項８ないし１２のうち何れか一項に記載のプロジェクションシステム。
【請求項１７】
前記１対のシリンダーレンズアレイ間に収差補正用レンズがさらに備わることを特徴とする請求項８ないし１２のうち何れか一項に記載のプロジェクションシステム。
【発明の詳細な説明】
【技術分野】
【０００１】
本発明はシリンダーレンズアレイ及びそれを採用したプロジェクションシステムに係り、より詳細には、光源から出射された光の整列を通じて光学系のエタンデュを減少させることによって、光効率を増加させたシリンダーレンズアレイ及びそれを採用したプロジェクションシステムに関する。
【背景技術】
【０００２】
プロジェクションシステムは、高出力ランプを光源として用いる場合、光源をオン／オフ制御して画像を形成するライト弁の数によって３板式と単板式とに分けられる。単板式プロジェクションシステムは、３板式に比べて光学系構造を小さくできるが、白色光をシーケンシャル方法でＲ、Ｇ、Ｂカラーに分離して使用するので、３板式に比べて光効率が１／３に落ちるという問題点がある。したがって、単板式プロジェクションシステムの場合には、光効率を向上させるための多くの努力が進められてきた。
【０００３】
従来の単板式スクローリングプロジェクションシステムは、図１Ａに示されたように、光源１００から照射された白色光が第１及び第２レンズアレイ１０２、１０４と偏光ビームスプリッタアレイ１０５とを経て、第１ないし第４ダイクロイックフィルター１０９、１１２、１２２、１３９によりＲ、Ｇ、Ｂの三色ビームに分岐される。まず、第１ダイクロイックフィルター１０９により、例えば赤色光（Ｒ）と緑色光（Ｇ）は透過されて第１光路Ｉ１に進行し、青色光（Ｂ）は反射されて第２光路Ｉ２に進行する、そして、第１光路Ｉ１に進行するＲ及びＧは、第２ダイクロイックフィルター１１２により再び分岐される。第２ダイクロイックフィルター１１２によりＲは透過されて第１光路Ｉ１を直進し続け、Ｇは反射されて第３光路Ｉ３に進む。
【０００４】
上記のように光源１００で照射された光がＲ、Ｇ、Ｂに分岐されて、各々に対応する第１ないし第３プリズム１１４、１３５、１４２を通過しつつ、スクローリングされる。第１ないし第３プリズム１１４、１３５、１４２は、第１ないし第３光路Ｉ１、Ｉ２、Ｉ３に各々配されて均一な速度で回転されることにより、Ｒ、Ｇ、Ｂ三色のカラーバーがスクローリングされる。第２及び第３光路Ｉ２、Ｉ３に沿って各々進行した緑色光と青色光とが第３ダイクロイックフィルター１３９により反射及び透過されて合成され、最終的に第４ダイクロイックフィルター１２２によりＲ、Ｇ、Ｂ三色光が合成されて偏光ビームスプリッタ１２７を通過し、ライト弁１３０により画像を形成する。
【０００５】
第１ないし第３プリズム１１４、１３５、１４２の回転によりＲ、Ｇ、Ｂカラーバーがスクローリングされる過程が図１Ｂに示されている。これは各カラーに対応するプリズムの同期を合わせて回転させる時、ライト弁１３０面に形成されたカラーバーの移動を示したものである。
【０００６】
ライト弁１３０で入力された画像信号によって処理されたカラー画像が投射レンズを経て拡大されてスクリーンに画像が結像される。
【０００７】
前記のような方法は、カラー別に光路を各々使用するので、各カラー別にレンズを各々備えねばならず、分離された光を再集束するための部品が必要なので、体積が大きくなり、組立し難く、かつ光路が複雑で光軸整列に難点がある。また、色分離を行った後、再び集める過程で光線のエタンデュ値も大きくなる。エタンデュ（Ｅ）とは、任意の光学系で光学的保存物理量を示すものであって、次のような式により求められる。
【０００８】
【数１】
2005531806.tif 000003
ここで、Ａはエタンデュを測定しようとする対象体の面積であり、θ１／２はその面積に入射または出射する光線の発散角の半角を表し、Ｆｎｏは光学系に使われるレンズのＦナンバーを表す。前記式（１）によれば、エタンデュは対象体の面積とレンズのＦナンバーにより決定され、光学系の幾何学的構成による物理量として、光学系の出発点でのエタンデュと終点でのエタンデュとが同一でなければ光効率側面で最適とは言えない。ところが、出発点でのエタンデュより終点でのエタンデュが大きければ、光学系の体積が大きくなり、出発点でのエタンデュより終点でのエタンデュが小さくなれば、光損が発生しうる。例えば、光源のエタンデュが大きければ、後続のレンズに入射する光線の角度が大きくなるにつれて、最終的にこれを満足する光学系の構成が難しくなる。したがって、照明系のエタンデュを減らすことが、光学系構成を容易にする１つの方法になりうる。
【０００９】
エタンデュを減らすための従来の光エンジン構造が、米国特許ＵＳ６，３５６，７００  Ｂ１号に開示されている。図２を参照するに、この光エンジン構造は、カソード電極１５４とアノード電極１５６とを中心に一側には主反射部１５２を備え、この主反射部１５２と対向して後方反射部１５０を備える。主反射部１５２と後方反射部１５０によりカソード電極１５４とアノード電極１５６とのチップから出射される光が発散角θｈを持って出射されるように構成されている。
【００１０】
このように光源自体の構造を変更して光の発散角を調節することによって、エタンデュを低減させることはできるが、光源自体の構造を変更してエタンデュを減らすには、最適化された光源の開発が新たに要求されるので、研究開発費及び既存の光源の代替費用などが追加的にかかる。また、後方反射部１４０で反射された光が電極に戻って光源の効率及び寿命などに悪影響を及ぼすこともあるので、光出力が低減されるという問題点が発生する。
【発明の開示】
【発明が解決しようとする課題】
【００１１】
本発明は前記問題点を解決するために案出されたものであって、既存の光源の構造を変更せずに光源から照射される光の対称的光分布を光の何れか一方向の発散角を低減させて非対称的に整列し、エタンデュを減らすことによって光効率を高めたシリンダーレンズアレイ及びそれを採用したプロジェクションシステムを提供するところにその目的がある。
【課題を解決するための手段】
【００１２】
前記目的を達成するために本発明によるシリンダーレンズアレイは、光源から出射された光の進路上に配され、中心軸が相異なって配列されたレンズセルの組合わせより構成されて光の進行方向に対して対称的に発散する光を何れか一方向の発散角が減少するように整列することを特徴とする。
【００１３】
前記レンズセルは、シリンダーレンズアレイの垂直中心軸と水平中心軸とを中心に遠く離れているほど、その中心軸がさらに多く傾いた状態で配列されることを特徴とする。
【００１４】
前記レンズセルは、その中心軸が連続して変わるように配列されうる。前記レンズセルが中心軸に沿って連結されて一体型に形成されうる。前記レンズセルは、垂直中心軸と水平中心軸とに対して対称的であり、原点に対して点対称的に配列されることを特徴とする。前記レンズセルは、その中心軸がシリンダーレンズアレイの垂直中心軸に対する入射ビームの角度と、入射ビームの位相を反転させようとする角度に対する半角との和ほど傾斜して配列されることを特徴とする。
【００１５】
前記目的を達成するために本発明によるプロジェクションシステムは、光源から照射された光をライト弁を用いて入力された画像信号によって処理することによって画像を形成し、この画像を投射レンズユニットによりスクリーン側に拡大投射させるプロジェクションシステムにおいて、前記光源から出射された光の進路上に配され、中心軸が相異なって配列されたレンズセルの組合わせより構成されて、光の進行方向に対して対称的に発散する光を何れか一方向の発散角が減少するように整列する１対のシリンダーレンズアレイを備えたことを特徴とする。
【発明を実施するための最良の形態】
【００１６】
本発明の第１実施例によるシリンダーレンズアレイは、図４を参照すれば、光源から照射された光が放射形の光分布を有する時、この放射形の光分布を何れか一方向に整列してエタンデュを減らすように異なる中心軸を有するレンズセル２０よりなる。
【００１７】
本発明によるシリンダーレンズアレイを用いて放射形の光分布を非対称型の光分布に変更させる過程を説明すれば次の通りである。ランプ光源から照射された光の分布を見ると、図３Ａに示されたように放射形の光分布を示す。ところで、一般的にスクリーンの縦横比が４：３または１６：９であるために、プロジェクションシステムに備えられたライト弁１０もスクリーンの縦横比に対応する縦横比を有するように長方形の構造を有することが一般的である。図３Ｂに光源から照射された光の放射形分布ｄとライト弁１０の長方形構造とを対応して示した。ここで、光源から照射された光は放射形分布を有するのに対して、ライト弁１０は長方形構造を有するので、光源から照射された光に対して最終的な画像の形成に使われる光の効率は落ちる。
【００１８】
したがって、光効率を高めるために光源の光分布をライト弁１０の形状に対応するように整列する必要がある。光分布による光の発散角は、図３Ｃに示されたように最大±２°と最小±１°の分布を有する。
【００１９】
前述したように本発明は、光源から照射される光の分布を調節するための光整列手段としてシリンダーレンズアレイを具備する。図４を参照すれば、本発明によるシリンダーレンズアレイはシリンダーレンズセル２０のアレイ構造で形成され、放射形の光分布が所定の一方向に整列されるように各レンズセルの中心軸ｃがレンズセルの位置によって０°から４５°範囲内で傾くように配列される。本発明では前述したように構成されたシリンダーレンズアレイが１対よりなる。
【００２０】
図５Ａないし図５Ｃに１対の対向するシリンダーレンズセル２０、２１によりイメージローテーションが実現される過程が示されている。図５Ａに示されたようにＸ方向のイメージが１対のシリンダーレンズセル２０、２１を通過して出力される時には位相が−Ｘ方向に１８０°反転されて出力される。図５Ｂは、図５Ａに示されたイメージローテーション関係を平面的に示した図である。他の例として、図５Ｃに示されたように入力イメージがＸ軸に対して−４５°に入射された場合には、位相が９０°回転されて４５°方向の位相を有するイメージに出力される。これはシリンダーレンズセル２０、２１の中心軸がＹ軸方向に立てられている場合にイメージローテーション関係を示したものであり、相対的にシリンダーレンズセル２０、２１の中心軸を変化させることによって、所望のイメージローテーションを具現しうる。すなわち、照明光が垂直方向Ｙに拡散される場合、１対のシリンダーレンズセルをその中心軸が４５°に傾くように配列すれば、出力ビームは９０°反転して水平方向Ｘに拡散される。
【００２１】
このように入力光の発散角度によって１対の対向するシリンダーレンズセルをその中心軸が垂直方向Ｙに対して所定角度に傾くように配列することによって、発散光を水平方向に整列させうる。一例として、図６Ａに示されたように、入力イメージまたは入射ビームがＹ軸方向に入射される時、１対のシリンダーレンズセル２０、２１をその中心軸ｃがＹ軸に対してθ２＝−４５°に傾くように配列することによって、出力イメージまたは出射ビームが９０°反転されてＸ軸方向に整列させうる。また、図６Ｂに示されたように、入力イメージまたは入射ビームのがθ１＝−４５°に入射される時、１対のシリンダーレンズセル２０、２１をその中心軸ｃがＹ軸に対してθ２＝−６７．５°に傾くように配列することによって、出力イメージまたは出射ビームをＸ軸方向に整列させうる。他の例として、図６Ｃに示されたように入力イメージがθ１＝−６７．５°に入射される時、１対のシリンダーレンズセル２０、２１をその中心軸ｃがＹ軸に対してθ２＝−７８．２５°に傾くように配列することによって、出力イメージをＸ軸方向に整列させうる。これを整理すれば、シリンダーレンズセルの中心軸の傾き角度は入力イメージまたは入射ビームの入射角度と入力イメージまたは入射ビームを反転させようとする角度に対する半角との和と決定しうる。
【００２２】
このような原理を用いて、本発明によるシリンダーレンズアレイを構成する実施例を説明する。
【００２３】
例えば、６×５レンズセルを用いてシリンダーレンズアレイを構成するに当って、各レンズセルの中心軸ｃが次の表１に表した角度に傾くようにレンズセル２０を配列する。
【００２４】
【表１】
2005531806.tif 000004
図４において、各レンズセル２０をＸ軸とＹ軸とに対して座標で表示した。ここで、Ｘ軸とＹ軸とは各々シリンダーレンズアレイの水平方向及び垂直方向中心軸を基準に設定した。表１と図４とを共に参照すれば、シリンダーレンズアレイのＸ軸とＹ軸とを中心に遠ざかるほどレンズセル２０の中心軸ｃの傾き角度θ２が大きくなる。例えば、（−ｘ３、ｙ２）に対応するレンズセルはその中心軸ｃが−７０．７３°に傾くように配列され、（−ｘ２、ｙ２）に対応するレンズセルはその中心軸が−６３．４９°に傾くように配列される。表１ではＹ軸を中心に逆時計回り方向に回転される角度を意味し、（＋）はＹ軸を中心に時計回り方向に回転される角度を意味する。
【００２５】
ここで、（−ｘ１、ｙ２）（−ｘ２、ｙ２）（−ｘ３、ｙ２）（−ｘ１、ｙ１）（−ｘ２、ｙ１）（−ｘ３、ｙ１）に対応するレンズセルに対して残りのレンズセルはＸ軸対称、Ｙ軸対称及び点対称構造で配列して構成しうる。
【００２６】
前述したようにレンズセルの組合わせより構成したシリンダーレンズアレイを用いてランプ光源から照射された放射形発散光に対してシミュレーションした結果を、図７Ａないし図７Ｄに示した。ランプ光源からの光を本発明によるシリンダーレンズアレイを使用せず、ピンホールを用いて遠視野上で測定した光分布（図７Ａ）と、シリンダーレンズアレイを使用して遠視野上で測定した光分布（図７Ｂ）を比較した結果、垂直軸Ｙを基準に放射角が２．６°から０．９°に減少されたことが分かる。図７Ｃ及び図７Ｄは、本発明によるシリンダーレンズアレイ無しに測定した光分布と、シリンダーレンズアレイを使用して測定した光分布とを光軸方向で示したものである。
【００２７】
前記のように本発明によるシリンダーレンズアレイを用いて発散光の何れか一方向での発散角を減らすことによって、発散光の対称的な光分布を非対称的な光分布に変換させうる。その結果、光学系のエタンデュを減らして光効率を向上させ、かつライト弁の縦横比に対応する光分布を有するようにして光損を最小化しうる。
【００２８】
本発明の第２実施例によるシリンダーレンズアレイは、図８に示されたように、レンズセル２５の組合わせよりなり、レンズセル２５の中心軸がその位置によって相異なって配列されているが、レンズセル２５が曲線形態に配列されている。具体的に、レンズセル２５の各中心軸の傾度が連続して変わるように配列されている。レンズセル２５の数を増加させるほど所定方向に隣接するレンズセルの中心軸が連続して変わる。これにより、レンズセルとレンズセル間の光損領域を最小化して光効率を極大化させうる。
【００２９】
また、レンズセルが、その中心軸が連続して変わる場合、レンズセルをその中心軸に沿って連結して一体型に形成することもある。図９にレンズセルをその中心軸に沿って一体型に形成したシリンダーレンズ２７を配列したシリンダーレンズアレイを図示した。このように、レンズセルを一体型に形成することによって製造工程を単純化させうる。
【００３０】
前述した実施例によるシリンダーレンズアレイは、単板式プロジェクションシステムや３板式プロジェクションシステムの何れにも有利に適用でき、単板式の場合にカラーフィルターを使用してＲ、Ｇ、Ｂ三色のカラー具現をするシステムやスクローリング方式を採択してカラー具現をするシステムの何れにも有利に適用されうる。
【００３１】
特に、光源の放射形光分布とライト弁の縦横比との相関関係は、スクローリング方式を採択する単板式構造のプロジェクションシステムでさらに顕著に現れる。すなわち、カラー具現のためにスクローリング方式を採択する場合には、図１Ｂに示されたように、Ｒ、Ｇ、Ｂのカラーバー形成のためにライト弁が３分割される。したがって、光源の放射形光分布についての単色のカラーバーのためのライト弁の面積を比較すれば、１つのライト弁を１カラーに対して全体的に使用する場合に比べて相対的に光分布整列の必要性がさらに大きく要求される。
【００３２】
このような理由でスクローリング方式を採択したプロジェクションシステムに本発明のシリンダーレンズアレイを適用することによって、さらに大きな光効率の効果を期待しうる。本発明の望ましい実施例によるプロジェクションシステムは、図１０に示されたように光源３０で放射形の対称的な光が照射され、このような放射形の光分布を第１及び第２の１対のシリンダーレンズアレイ３３、３４により整列させて、何れか一方向への発散角を減少させ、このように整列された光を用いてライト弁４０で入力信号によって各画素をオン／オフ制御することによって、画像を形成するようになっている。そして、このライト弁４０により形成された画像を投射レンズユニット４２によりスクリーン（図示せず）に拡大投射させる。
【００３３】
第１及び第２シリンダーレンズアレイ３３、３４は、図４を参照すれば、シリンダーレンズセル２０のアレイ構造より形成され、放射形の光分布が何れか一方向に整列されるように各レンズセルはその中心軸ｃがレンズセルの位置によって０°ないし４５°の範囲内で傾くように配列される。または、図８及び図９に示されたように、レンズセルがその中心軸が連続して変わるように配列されたシリンダーレンズアレイがプロジェクションシステムに適用されうる。第１及び第２シリンダーレンズアレイ３３、３４は曲率部が形成された面が対向して配されるか、曲率部が形成された面が相互外側に向かうように配されうる。
【００３４】
また、第１及び第２シリンダーレンズアレイ３３、３４間に図１１に示されたように収差によるビーム拡散を防止するための収差補正用レンズ４５がさらに備えられうる。
【００３５】
スクローリング方式を採択したプロジェクションシステムの場合に、第１及び第２シリンダーレンズアレイ３３、３４とライト弁４０との間の光路上に光源３０から照射された光をカラー別に分離させる光分離器（図示せず）を有するスクローリングユニット３５が備えられる。また、スクローリングユニット３５を通過したビームを均一にするフライアイレンズ３７と、フライアイレンズ３７とを経たビームを集束させるリレイレンズ３８とをさらに備えられる。
【００３６】
前述したように本発明のプロジェクションシステムは、第１及び第２シリンダーレンズアレイ３３、３４を用いて光分布を整列させることによって、光学系のエタンデュを減らすと共に光効率を極大化しうる。
【産業上の利用可能性】
【００３７】
前述したように本発明によるシリンダーレンズアレイは、シリンダーレンズセルをその中心軸がその位置によって相異なる角度で傾くように配列して構成されることによって、光源から照射された光の放射形分布を何れか一方向に整列して光効率を向上させうる。特に、光整列を通じて光分布がライト弁の縦横比に対応する光分布を有させることによって、エタンデュを減少させて光効率を極大化させうる。
【００３８】
このようなシリンダーレンズアレイは、単板式のプロジェクションシステム、３板式のプロジェクションシステムの何れにも適用可能であり、かつスクローリング方式を採択したプロジェクションシステムにも適用可能であることは言うまでもない。特に、本発明によるシリンダーレンズアレイをスクローリング方式を採択したプロジェクションシステムに採用する場合に、光整列の効果がさらに大きくなる。
【図面の簡単な説明】
【００３９】
【図１Ａ】従来のプロジェクションシステムの構成図である。
【図１Ｂ】従来のプロジェクションシステムでカラーバーのスクローリング方式を説明するための図である。
【図２】従来のエタンデュを減少させるための光エンジンを示す図である。
【図３Ａ】光源から照射された光の放射形光分布を示す写真である。
【図３Ｂ】光源から照射された光の放射形光分布とライト弁の形態とを比較して示す図である。
【図３Ｃ】光源から照射された光の分布と発散角との関係を示す図である。
【図４】本発明の第１実施例によるシリンダーレンズアレイ構造を示す図である。
【図５Ａ】本発明によるシリンダーレンズアレイを用いてイメージをローテーションする原理を説明するための図である。
【図５Ｂ】本発明によるシリンダーレンズアレイを用いてイメージをローテーションする原理を説明するための図である。
【図５Ｃ】本発明によるシリンダーレンズアレイを用いてイメージをローテーションする原理を説明するための図である。
【図６Ａ】本発明によるシリンダーレンズアレイのレンズセルを用いて発散角を調節する例を示す図である。
【図６Ｂ】本発明によるシリンダーレンズアレイのレンズセルを用いて発散角を調節する例を示す図である。
【図６Ｃ】本発明によるシリンダーレンズアレイのレンズセルを用いて発散角を調節する例を示す図である。
【図７Ａ】本発明の望ましい実施例によるシリンダーレンズアレイを使用した時と、使用していない時とで、光の発散角に対してシミュレーションした結果を側面図と正面図とで比較して示した図である。
【図７Ｂ】本発明の望ましい実施例によるシリンダーレンズアレイを使用した時と、使用していない時とで、光の発散角に対してシミュレーションした結果を側面図と正面図とで比較して示した図である。
【図７Ｃ】本発明の望ましい実施例によるシリンダーレンズアレイを使用した時と、使用していない時とで、光の発散角に対してシミュレーションした結果を側面図と正面図とで比較して示した図である。
【図７Ｄ】本発明の望ましい実施例によるシリンダーレンズアレイを使用した時と、使用していない時とで、光の発散角に対してシミュレーションした結果を側面図と正面図とで比較して示した図である。
【図８】本発明の第２実施例によるシリンダーレンズアレイを示す図である。
【図９】本発明の第３実施例によるシリンダーレンズアレイを示す図である。
【図１０】本発明によるプロジェクションシステムの概略的な構成図である。
【図１１】図１１は、本発明によるプロジェクションシステムで１対のシリンダーレンズアレイ間に収差補正レンズをさらに備えた場合を示す図である。
2005531806.tif 000005
【図２】
2005531806.tif 000006
2005531806.tif 000007
2005531806.tif 000008
【図４】
2005531806.tif 000009
【図５Ａ】
2005531806.tif 000010
【図５Ｂ】
2005531806.tif 000011
【図５Ｃ】
2005531806.tif 000012
【図６Ａ】
2005531806.tif 000013
【図６Ｂ】
2005531806.tif 000014
【図６Ｃ】
2005531806.tif 000015
2005531806.tif 000016
2005531806.tif 000017
【図８】
2005531806.tif 000018
【図９】
2005531806.tif 000019
【図１０】
2005531806.tif 000020
【図１１】
2005531806.tif 000021
【図１２】
2005531806.tif 000022
【国際調査報告】
2005531806.tif 000023